(57)【特許請求の範囲】
【請求項１】
面板とその四周に立設したフランジとよりなる単位パネルを順次フランジを連結することによって天井壁、底壁、及び４つの側壁の夫々を構成した組立水槽において、
前記天井壁の水槽内面側には、周囲域を構成する前記単位パネルの前記側壁と平行に延びる第１のフランジに連結されると共に、複数の前記第１のフランジを互い連結する第１の補強梁と、周囲域を構成する前記単位パネルの前記第１の補強梁と交差する方向に延びる第２のフランジに連結される第２の補強梁とが設けられている、ことを特徴とする組立水槽。
【請求項２】
前記第１の補強梁は、一方の端部が、各々対向すると共に前記第１の補強梁と交差する方向に延びる一対の側壁の一方に連結され、他方の端部が、前記一対の側壁の他方に連結されており、
前記第２の補強梁は、一方の端部が、前記第１の補強梁の中間部に連結され、他方の端部が、前記第１の補強梁と平行に配置された前記側壁に設けられた前記フランジに連結されている、ことを特徴とする請求項１に記載の組立水槽。
【請求項３】
前記第２の補強梁の先端が、前記底壁より立ち上がる支持棒にて支持されている、ことを特徴とする請求項１または請求項２に記載の組立水槽。
【請求項４】
面板と、その四周に立設したフランジとなる単位パネルを順次フランジを連結することによって各壁を構成した組立水槽において、天井壁と側壁との直角コーナー部の前記フランジに沿う部位に夫々に対向してフランジを有する略三角形状プレートを夫々のフランジを連結して固定し、この略三角形状のプレート間にスロッシング減衰部材を張設したことを特徴とする組立水槽。
【請求項５】
スロッシング減衰部材がプレートである請求項第４項記載の組立水槽。
【請求項６】
スロッシング減衰部材が多孔体であり、単位パネルと多孔体にて囲まれたスペース内にスロッシング波分散材を充填した請求項第４項記載の組立水槽。
【発明の詳細な説明】
【０００１】
【発明の属する技術分野】
本発明はスロッシング波対策を施した組立水槽に係るものである。
【０００２】
【従来の技術】
現在、集合住宅や大規模な工場での水道水の供給設備として、ＦＲＰ製のパネルを順次組立ててなるいわゆる組立水槽が広く使用されている。このＦＲＰ製パネルは面板部とこの四周に立設したフランジ部とからなり、このフランジ部を順次ボルト及びナットにて連結する構造であり、この構造の組立水槽にあっては耐震性を付与するために水槽内部に補強材を張設したり、水槽の側壁を構成するフランジ部に外部から補強材を当接することによって耐震性をもたらしていた。
【０００３】
しかるに地震等の発生時には水槽内の水が大きくゆれ動き、いわゆる水槽内にスロッシングが発生し、これが成長すると天井にまで達し天井パネルを破壊させることとなる。このスロッシングを防止する手段として天井よりスロッシング防止パネルを垂れ下げ、このパネルにスロッシングを当てることによって波を静めるというアイデアもあるが、大規模な地震にあってはこの程度の防止策では全く役に立たない。
【０００４】
【発明が解決しようとする課題】
本発明は地震時におけるスロッシングの発生による天井壁の破壊を防止しようとするものであり、水槽内の水のスロッシングの発生及びその生成過程を把握したことにより、そして、好適にはスロッシング波減衰機能をもたらした組立水槽を提供することを目的とする。
【０００５】
【課題を解決するための手段】
本発明は上記目的を達成するため以下の構成としたものである。即ち、本発明の第１は、
面板とその四周に立設したフランジとよりなる単位パネルを順次フランジを連結することによって天井壁、底壁、及び４つの側壁の夫々を構成した組立水槽において、前記天井壁の水槽内面側には、周囲域を構成する前記単位パネルの前記側壁と平行に延びる第１のフランジに連結されると共に、複数の前記第１のフランジを互い連結する第１の補強梁と、周囲域を構成する前記単位パネルの前記第１の補強梁と交差する方向に延びる第２のフランジに連結される第２の補強梁とが設けられている、ことを特徴とする組立水槽を提供するものである。
【０００６】
そして、本発明の第２は特にスロッシング波対策としてその減衰機能を付与したものであって、面板と、その四周に立設したフランジとよりなる単位パネルを順次フランジを連結することによって各壁を構成した組立水槽において、天井壁と側壁との直角コーナー部の前記フランジに沿う部位に、夫々に対向してフランジを有する略三角形状プレートを夫々のフランジを連結して固定し、この略三角形状のプレート間にスロッシング減衰部材を張設したことを特徴とする組立水槽にかかるものであって、スロッシング減衰部材がプレートであったり、或いはスロッシング減衰部材が多孔体であり、更に、単位パネルと多孔体にて囲まれたスペース内にスロッシング波分散材を充填した組立水槽にかかるものである。
【０００７】
【発明の実施の形態】
水槽内の水は地震によってスロッシングを生じることになり、特に大規模な地震の発生時には大きな波立ちはさけられない。しかるに、通常は水槽の底壁及び側壁は補強材が当てがわれておりスロッシングの発生によっては破壊されることはない。
【０００８】
しかしながら、天井壁は通常は補強されていないためスロッシングによる波が天井に当たると天井壁は波の力によって比較的容易に破壊されることとなる。このスロッシングは天井壁全体に当るわけではなく、水槽の中央域に位置する天井壁単位パネルには波は当たらず、側壁に対応する天井壁の周囲の単位パネルにスロッシングによる波が当ることが判明した。実際には水槽の壁面距離が約１０ｍ以内ならば、天井壁の周囲より１．６ｍ以内の周囲域にスロッシングによる波が当ることとなる。
【０００９】
本発明はかかる知見に基づいてなされたものであって、その発明の第１は天井壁の周囲域単位パネル部のみを水槽内より補強するものであって、単位パネルにて構成する天井壁の周囲域単位パネルを水槽内にて前記フランジ端に沿う補強材を配置したことを特徴とする構造である。
より詳しくは、面板とその四周に立設したフランジとよりなる単位パネルを順次フランジを連結することによって天井壁、底壁、及び４つの側壁の夫々を構成した組立水槽において、前記天井壁の周囲域を構成する前記単位パネルの水槽内側には、周囲域を構成する前記単位パネルの側壁と平行に延びる第１のフランジに連結されると共に、複数の第１のフランジを互い連結する第１の補強梁と、周囲域を構成する単位パネルの第１の補強梁と交差する方向に延びる第２のフランジに連結される第２の補強梁とが設けられている、ことを特徴とする構造である。
このことによりスロッシングによる波がつき当たったとしてもこれが効果的に補強され、天井の破壊がなくなったものである。通常、天井単位パネルは５０ｃｍ又は１ｍを単位とする正方形又は長方形のパネルが用いられるが、天井壁の周囲より１枚目の単位パネルを補強すればよいこととなる。
【００１０】
又、発明の第２は上記したように天井壁と側壁とで構成するコーナー部へのスロッシング波の有利に減衰しようとするものであり、ここにスロッシング波に対して干渉して減衰させる減衰部材を備え、スロッシング波が天井パネルを直撃することのないよう減衰させてしまおうとするものである。減衰部材としてはスロッシング波の向きを変えることを主目的とする硬質のプレートを水槽内の水面に向けて傾斜して配備するものであってもよいが、場合によっては硬質又は可撓性のある多孔体であってもよく、更にはこの場合には多孔体と単位パネルに囲まれたスペース内に、例えば合成樹脂製の軽量の網状、骨格体状の球体、板体、筒体等を充填し、これによってスロッシング波頭の衝撃圧を分散させて減衰し天井壁パネルへの負担を軽減することも可能である。
【００１１】
【実施例】
以下、図面をもって本発明を更に詳細に説明する。図１は組立水槽の天井壁の上面図、図２はその縦方向断面図、図３はその単位パネルを示す斜視図である。使用した単位パネルは１辺が１ｍの正方形を面板としたものであり、図中、符号１は単位パネルであって、２は面板、３はこの四周に立設されたフランジである。そして４はこのフランジ３にあけられたボルト孔であり、このボルト孔４を利用して図示しないボルトを挿通してナットをもって締め付けるものであり、これを順次連結して大規模な壁とするものである。
【００１２】
そして水槽内の水はスロッシングによって波立ちが大きくなり、図２に示すように天井壁につき当ることになるが、図示するように波ａは天井壁の周囲域単位パネル１a に主としてつき当ることになり、中央域単位パネル１bにはほとんど波ａは当たらないものである。従って、天井壁の周囲単位パネル１a を補強すればよいこととなる。図４は本発明の第１におけるその補強構造の第１例を示す平面図であり、図５はその部分斜視図、図６はその縦断面図である。
【００１３】
図中、符号１０、２０は単位パネルを連結して構成された側壁であって、側壁１０、１０（一方側は図示せず）に断面コ字状の天井梁４１が渡されている。この天井梁４１の端部はＬ型フランジ４２を用い、これをボルト及びナット（図示せず）よって側壁１０に固定するものである。この固定位置は側壁１０から１ｍの場所であり、天井壁の周囲単位パネル１a のフランジ３がこの上に載ることとなる。一方、この天井梁４１と側壁２０との間に、１ｍ間隔をもって断面コ字状の短尺梁４３を張設するものである。このように、側壁１０、２０の内部を１ｍの間隔をもって天井梁４１、４３が張設され、この上に天井壁の周囲単位パネル１aのフランジ３が乗せられることになる。勿論、この天井梁４１、４３と天井壁の周囲単位パネル１a のフランジ３との間をＬ型フランジ４４を用い、ボルト及びナット（図示せず）をもって固定するのが好ましい。
【００１４】
図７は本発明の第１における補強構造の第２例を示す縦断面図である。この例では、前記した短尺梁４３の先端を底壁３０より立ち上がる支持棒４５にて支持された構造である。
【００１５】
図８は本発明の第１における補強構造の第３例を示す縦断面図である。前記した短尺梁４３の代わりに三角プレート４６をもって補強構造としたものである。このプレート４６は直角をはさむ二辺にフランジ４６1 、４６2 が形成されており、図示しないボルト及びナットにて対向する単位パネルやＬ型フランジ４４に固定されるものである。
【００１６】
図９は本発明の第２における第１実施例であって、前記した図８の構造を応用したものである。即ち、三角プレート４６の斜辺４６0 をまたいで硬質のスロッシング減衰プレート４７を固設したものである。このプレート４７の存在によりスロッシング波はその向きが変えられて天井壁に直接衝突することがなくなるという特徴がある。尚、三角プレート４６の斜辺４６0を湾曲させる（点線）こともよく、この場合、この湾曲に沿ってプレート４７が固設されることとなり、スロッシング波への影響を効果的にすることが可能である。
【００１７】
図１０は本発明の第２における第２実施例であり、プレート４７は多孔プレートであり、これに囲まれたスペース内にスロッシング分散材４８を充填したものである。即ち、スロッシング分散材４８の存在によりスロッシング波は多方向に分散されてしまうため、すぐれた減衰機能を付与することができることとなったものである。尚、この例にあっては多孔プレート４７の代りに網状体を用いてもよいことは勿論である。
【００１８】
図１１はスロッシング分散材４８の一例を示す斜視図であり、ポリプロピレン製の網状円筒体である。スロッシング波はこの多孔部４８0 より円筒内４８に入り込み、波の分散と減衰がもたらされることになる。
【００１９】
【発明の効果】
本発明にあっては、天井壁の周囲単位パネルに耐震性能を、更にはスロッシング波減衰機能を付与することとなったもので、比較的簡単な構成で目的を達することができるようになったものである。
【図面の簡単な説明】
【図１】図１は組立水槽の天井壁の上面図である。
【図２】図２は図１の組立水槽の縦方向断面図である。
【図３】図３は天井壁を構成する単位パネルを示す斜視図である。
【図４】図４は本発明の第１の補強構造の第１例を示す平面図である。
【図５】図５は図４の部分斜視図である。
【図６】図６は図４の縦断面図である。
【図７】図７は本発明の第１の補強構造の第２例を示す縦断面図である。
【図８】図８は本発明の第１の補強構造の第３例を示す縦断面図である。
【図９】図９は本発明の第２の構造の第１例を示す縦断面図である。
【図１０】図１０は本発明の第２の構造の第２例を示す縦断面図である。
【図１１】図１１は本発明の第２に用いられるスロッシング分散材の一例を示す斜視図である。
【符号の説明】
１‥‥単位パネル、
１a ‥‥天井壁の周囲域単位パネル、
１b ‥‥天井壁の中央域単位パネル、
２‥‥面板、
３‥‥面板の四周に立設されたフランジ、
４‥‥ボルト孔、
１０、２０‥‥単位パネルを連結して構成された側壁、
３０‥‥単位パネルを連結して構成された底壁、
４１‥‥断面コ字状の天井梁、
４２‥‥Ｌ型フランジ、
４３‥‥短尺梁、
４４‥‥Ｌ型フランジ、
４５‥‥底壁３０より立ち上がる支持棒、
４６‥‥三角プレート、
４６0 ‥‥三角プレートの斜辺、
４６1 、４６2 ‥‥三角プレートのフランジ、
４７‥‥スロッシング減衰プレート、
４８‥‥スロッシング分散材、
４８0 ‥‥スロッシング分散材の多孔部、
ａ‥‥スロッシング波。
【図１】
0003847877.tif 000002
【図２】
0003847877.tif 000003
【図３】
0003847877.tif 000004
【図４】
0003847877.tif 000005
【図５】
0003847877.tif 000006
【図６】
0003847877.tif 000007
【図７】
0003847877.tif 000008
【図８】
0003847877.tif 000009
【図９】
0003847877.tif 000010
【図１０】
0003847877.tif 000011
【図１１】
0003847877.tif 000012